(57)【要約】【課題】  患者の所望する部位へ的確な水圧マッサージを施すことができる部分用水圧マッサージ機を提供すること。【解決手段】  部分用水圧マッサージ機（１）において、可撓性膜（５）は被マッサージ部を覆い、循環ポンプ（９）は貯水槽（６）の水を吸入しノズル部（４）へ付与し、ノズル部（４）は噴出水を、可撓性膜（５）を介して被マッサージ部に向かって衝突させ被マッサージ部に水圧マッサージを付与し、台部（２）とカバー部（３）とで囲まれる中に、ノズル部（４）を移動できる移動機構（４６）が設けられ、ノズル部（４）は水を噴射しながら移動又は停止できる部分用水圧マッサージ機である。【選択図】      図１
2006204768.tif 000002
【特許請求の範囲】
【請求項１】
患者の被マッサージ部が載置される台部（２）と、該台部（２）を覆うカバー部（３）と、貯水槽（６）と、循環ポンプ（９）と、台部（２）とカバー部（３）とで囲まれる中に設けられる可撓性膜（５）と、台部（２）とカバー部（３）で囲まれる中に配設されるノズル部（４）とを有する部分用水圧マッサージ機（１）において、
前記可撓性膜（５）は被マッサージ部を覆い、循環ポンプ（９）は貯水槽（６）の水を吸入しノズル部（４）へ付与し、前記ノズル部（４）は、噴出水を可撓性膜（５）を介して被マッサージ部に向かって衝突させ、被マッサージ部に水圧マッサージを付与し、台部（２）とカバー部（３）とで囲まれる中にノズル部（４）を移動させる移動機構（４６）が設けられ、ノズル部（４）は水を噴射しながら移動又は停止できる部分用水圧マッサージ機。
【請求項２】
台部（２）とカバー部（３）とで囲まれる中にあって、台部（２）側に容器側ノズル部（４ａ）が配設され、カバー部（３）側にカバー部側ノズル部（４ｂ）が配設され、被マッサージ部の両面に同時に水圧マッサージを付与できることを特徴とする請求項１記載の部分用水圧マッサージ機。
【請求項３】
脚部（２２）と、該脚部（２２）に立設され伸縮可能な支柱部（２３）とが付加設置され、台部（２）は、支柱部（２３）で支持される昇降台部（４２）であることを特徴とする請求項１記載の部分用水圧マッサージ機。
【請求項４】
被マッサージ部がノズル部（４）にぶつかることを防止する防止部材（１０）が、台部（２）上面に設けられることを特徴とする請求項１記載の部分用水圧マッサージ機。
【請求項５】
貯水槽（６）には、該貯水槽（６）内の水の温度を調節する水温調節器（４３）が付設され、
台部（２）には、被マッサージ部を暖める温熱具（３３）が付設されることを特徴とする請求項１記載の部分用水圧マッサージ機。
【請求項６】
被マッサージ部の末端側に対応する台部先部（２ａ）を低位にして、台部（２）上面は傾斜していることを特徴とする請求項１記載の部分用水圧マッサージ機。
【請求項７】
任意の位置にノズル部（４）を移動可能なリモートコントローラー（５０）を設けたことを特徴とする請求項１記載の部分用水圧マッサージ機。
【請求項８】
座部（５１）は回動自在に椅子（３５）に設けられることを特徴とする請求項１記載の部分用水圧マッサージ機。
【請求項９】
ノズル部（４）を、略水平面に回動可能なものとし、噴流圧の付与範囲を拡大したことを特徴とする請求項１記載の部分用水圧マッサージ機。
【発明の詳細な説明】
【技術分野】
【０００１】
本発明は、マッサージを受けようとする人体（＝以下患者という）の被マッサージ部（＝主として上肢又は下肢）を噴射水圧によりマッサージする部分用水圧マッサージ機に関する。
【背景技術】
【０００２】
従来の技術は、液槽、ポンプ、ノズル、温度調節器、可撓性薄膜とからなるマッサージ器であって、可撓性薄膜は袋体になっており、カバー、多孔面体を設けたものである。
【０００３】
従来の技術は、被マッサージ体を包む袋体に向かって、固定設置された多数個のノズルから液体を噴射するものである。当該ノズルは移動しないものであった。
【特許文献１】特公平３−６７７０９号公報
【発明の開示】
【発明が解決しようとする課題】
【０００４】
解決しようとする問題点は、従来技術は被マッサージ体を包む袋体に向かって、ノズルから液体を噴射するものであるが、当該ノズルが移動しない為、被マッサージ体の所望する部位へ的確な水圧マッサージが施しにくいという点である。
【課題を解決するための手段】
【０００５】
本発明の目的は、上記要望に応えたものであり、患者の所望する部位へ的確な水圧マッサージを施すことができる部分用水圧マッサージ機を提供することにある。
即ち本発明は、患者の被マッサージ部が載置される台部（２）と、該台部（２）を覆うカバー部（３）と、貯水槽（６）と、循環ポンプ（９）と、台部（２）とカバー部（３）とで囲まれる中に設けられる可撓性膜（５）と、台部（２）とカバー部（３）で囲まれる中に配設されるノズル部（４）とを有する部分用水圧マッサージ機（１）において、前記可撓性膜（５）は被マッサージ部を覆い、循環ポンプ（９）は貯水槽（６）の水を吸入しノズル部（４）へ付与し、前記ノズル部（４）は、噴出水を可撓性膜（５）を介して被マッサージ部に向かって衝突させ、被マッサージ部に水圧マッサージを付与し、台部（２）とカバー部（３）とで囲まれる中にノズル部（４）を移動させる移動機構（４６）が設けられ、ノズル部（４）は水を噴射しながら移動又は停止できる部分用水圧マッサージ機である。
又、台部（２）とカバー部（３）とで囲まれる中にあって、台部（２）側に容器側ノズル部（４ａ）が配設され、カバー部（３）側にカバー部側ノズル部（４ｂ）が配設され、被マッサージ部の両面に同時に水圧マッサージを付与できる。
更に、脚部（２２）と、該脚部（２２）に立設され伸縮可能な支柱部（２３）とが付加設置され、台部（２）は、支柱部（２３）で支持される昇降台部（４２）である。
更に又、被マッサージ部がノズル部（４）にぶつかることを防止する防止部材（１０）が、台部（２）上面に設けられる。
又、貯水槽（６）には、該貯水槽（６）内の水の温度を調節する水温調節器（４３）が付設され、台部（２）には、被マッサージ部を暖める温熱具（３３）が付設される。
更に、被マッサージ部の末端側に対応する台部先部（２ａ）を低位にして、台部（２）上面は傾斜している。
更に又、任意の位置にノズル部（４）を移動可能なリモートコントローラー（５０）を設ける。
又、座部（５１）は回動自在に椅子（３５）に設けられる。
更に、ノズル部（４）を、略水平面に回動可能なものとし、噴流圧の付与範囲を拡大する。
【発明の効果】
【０００６】
本発明は、部分用水圧マッサージ機において、台部２とカバー部３とで囲まれる中に、ノズル部４を移動できる移動機構４６が設けられ、ノズル部４は水を噴射しながら移動又は停止できるものであるから、患者の被マッサージ部における所望する部位に集中的に的確な水圧マッサージを施したり、或いは被マッサージ部に広範囲に亘り水圧マッサージを施すことができ、好都合である。
【０００７】
本発明は、台部２とカバー部３とで囲まれる中にあって、台部２側に容器側ノズル部４ａが配設され、カバー部３側にカバー部側ノズル部４ｂが配設され、被マッサージ部の両面に同時に水圧マッサージを付与できるから、被マッサージ部のマッサージを高能率に行なえ、更に、刺激感も豊富であり、好都合である。
【０００８】
本発明は、脚部２２と、該脚部２２に立設され伸縮可能な支柱部２３とが付加設置され、台部２は、支柱部２３で支持される昇降台部４２であるから、患者に好適な高さに台部２を設定でき、患者の被マッサージ部を台部２に乗せ易く、又、楽な姿勢でマッサージ治療ができ、好都合である。
【０００９】
本発明は、被マッサージ部がノズル部４にぶつかることを防止する防止部材１０が、台部２上面に設けられるものであるから、不意の動作による被マッサージ部（＝膝や爪先その他）のノズル部４への衝突を阻止でき、又、移動するノズル部４が被マッサージ部に衝突することを阻止でき、患者の怪我等を防止でき、ノズル部４の破損も防止でき、好都合である。
【００１０】
本発明に係る貯水槽６には、該貯水槽６内の水の温度を調節する水温調節器４３が付設され、台部２には、被マッサージ部を暖める温熱具３３が付設されるものであるから、温度調節した好適な水温の噴射水による快適な水圧マッサージを実施でき、更に、温熱具３３で直接被マッサージ部を暖めることができ、被マッサージ部の血流の促進を図りながらより効果的な水圧マッサージを施せ、好都合である。
【００１１】
本発明は、被マッサージ部の末端側に対応する台部先部２ａを低位にして、台部２上面は傾斜しているものであるから、被マッサージ部の上に位置するカバー部側可撓性膜５ｂ上に噴射された水の排水がよく、カバー部側可撓性膜５ｂ上に水が残溜せず、残留水がカバー部側可撓性膜５ｂ上に無いので、残留水の重量が被マッサージ部に掛からず、ノズル部４からの噴流水による刺激を残溜水が弱めることもなく、高能率に快適に水圧マッサージを施すことができ、好都合である。
【００１２】
本発明は、任意の位置にノズル部４を移動可能なリモートコントローラー５０を設けるものであるから、患者が自ら、好みの位置に（＝望む位置）にノズル部４を移動できその位置をマッサージ出来、好都合である。
【００１３】
本発明に係る座部５１は回動自在に椅子３５に設けられものであるから、患者は容易に、椅子３５へ移乗でき、及び台部２へマッサージ部位をセッティングでき、好都合である。
【００１４】
本発明は、ノズル部４を、略水平面に回動可能にしたものであるから、ノズル部４を回動させた場合には、回動の直径分だけ噴流圧の付与範囲が拡がり、広範囲にマッサージができ、マッサージが行き届き、好都合である。
【発明を実施するための最良の形態】
【００１５】
本発明の部分用水圧マッサージ機１で、患者の被マッサージ部に水圧マッサージを施す。台部２に患者は被マッサージ部を乗せる。カバー部３は前記台部２を覆う。可撓性膜５は、台部２及びカバー部３で囲まれた中に設けられ、被マッサージ部を覆う。
【００１６】
ノズル部４は、台部２及びカバー部３で囲まれた中に設けられ、循環ポンプ９から得た加圧水を可撓性膜５に向かって噴射する。可撓性膜５を介して被マッサージ部に水圧の刺激を与え、水圧マッサージを施す。循環ポンプ９は、貯水槽６の水を吸入し、ノズル部４に加圧水を供給し、ノズル部４から噴射する。
【００１７】
移動機構４６は、台部２及びカバー部３で囲まれた中に設けられ、ノズル部４を移動又は固定させる。移動機構４６は、ノズル部４を部分用水圧マッサージ機１の長手方向（＝縦方向）に動かす。ノズル部４は水を噴射しながら移動又は固定できる。
台部２上面に設けられる防止部材１０は、被マッサージ部が可撓性膜５を挟んだ状態でノズル部４にぶつかることを防止する。
【００１８】
貯水槽６に設けられる水温調節器４３は、貯水槽６内の水の温度を調節する。台部２に設けられる温熱具３３は、被マッサージ部を暖める。
台部２上面は、被マッサージ部の末端側に対応する台部先部２ａを低位になして傾斜しており、この傾斜は可撓性膜５上の噴流水の排水をよくする。
【００１９】
リモートコントローラー５０は、任意の位置にノズル部４を移動させることができる。椅子３５に設けられる座部５１は回動自在である。ノズル部４は、略水平面に回動可能であり、噴流圧の付与範囲が拡大する。
【００２０】
昇降台部４２は、脚部２２に立設され伸縮可能な支柱部２３で支持され昇降する。
【実施例１】
【００２１】
図１、２に本発明の実施例１を示している。図１に示す部分用水圧マッサージ機１は、台部２と、台部２に載置されるカバー部３と、台部２内の上部位置に設置される容器４８と、台部２内の下部位置に設置され水を満たす貯水槽６とからなる。実施例１の部分用水圧マッサージ機１は主として下肢用に使用されるものである。
【００２２】
台部２は床に載置され、台部２内に容器４８が一定高さに収容支持され、台部２上にカバー部３が載設される。台部２において、被マッサージ部の末端側（＝被マッサージ部が下肢の場合は足側）に対応する部分、即ち台部先部２ａを低位にして台部２上面は傾斜している。
台部２において、被マッサージ部の基端側（＝被マッサージ部が下肢の場合は大腿側）に対応する部分、即ち台部基部２ｂは、椅子３５である。該椅子３５に回動自在に座部５１が設けられる。
【００２３】
容器４８は、平面視長方形の容器である。容器４８の上部の容器開口部１８に、被マッサージ部の重量を支える網４５が張設され、更に、網４５の上に可撓性膜５（＝容器側可撓性膜５ａ）が設けられる。容器側可撓性膜５ａは容器開口部１８を水密に覆う。可撓性膜５は、伸縮材で製作される。前記容器４８内に、容器側可撓性膜５ａへ向け水を噴射するノズル部４（＝容器側ノズル部４ａ）が設けられる。
【００２４】
被マッサージ部の上方移動を阻止し、被マッサージ部がその上に位置するノズル部４にぶつかることを防止する防止部材１０（＝具体例では固定ベルト）が、台部２の上面を横断させて該台部２に取着される。
容器４８の形状は、平面視長方形に限定されるものではなく、平面視楕円形又は平面視正方形又は適宜な形状であってもよい。
【００２５】
カバー部３は、台部２の台部先部２ａにカバー軸４７で開閉可能に取り付けられる。カバー部３の下面のカバー部開口部３０にカバー部側可撓性膜５ｂが緩めに張設される。カバー部側可撓性膜５ｂは、カバー部３の全周縁に止着される。
前記カバー部側可撓性膜５ｂは、伸縮材で製作される。カバー部側可撓性膜５ｂはカバー部開口部３０を水密に覆う。
【００２６】
前記カバー部３内に、水をカバー部側可撓性膜５ｂへ向けへ噴射するカバー部側ノズル４ｂが設けられる。
カバー部側可撓性膜５ｂの先部には、カバー部側ノズル４ｂから噴出した噴流水を貯水槽６へ返送するカバー部側返送管２０ｂが接続される。
【００２７】
台部２が前傾しているため、台部２に載設されるカバー部３も前傾し、このカバー部３の前傾態様はカバー部側可撓性膜５ｂの上に噴出された水の排水を良好にする。カバー部側可撓性膜５ｂの下に置いた被マッサージ部は前記水に濡れない。
【００２８】
貯水槽６は平面視長方形の容器であり、水を収容する。貯水槽６には、加温ヒータ８と、ラジエター４４と、温調ポンプ２６とでなる水温調節器４３が連通して設けられる。
【００２９】
加温ヒータ８は、貯水槽６内の底部に設けられ貯水槽６内の水を加熱する。ラジエター４４は、温調ポンプ２６によって該ラジエター４４へ導入された貯水槽６内の水を空気冷却する。
尚、貯水槽６の形状は、平面視長方形に限定されるものではなく、平面視楕円形又は正方形又は適宜な任意な形状であってもよい。
【００３０】
ノズル部４には、容器側ノズル部４ａとカバー部側ノズル部４ｂがある。
容器側ノズル部４ａは、容器４８内にあって循環ポンプ９から得た加圧水を容器側可撓性膜５ａに向けて噴射するものであり、移動機構４６に支持される。
カバー部側ノズル部４ｂは、前記カバー部３内にあって、循環ポンプ９から得た加圧水をカバー部側可撓性膜５ｂへ向けて噴射するものであり、移動機構４６に支持される。
ノズル部４の側面には取水口３１が設けられ、該取水口３１に循環ポンプ９から加圧水が注入される。
【００３１】
容器側ノズル部４ａは被マッサージ部の裏面をマッサージし、カバー部側ノズル部４ｂは被マッサージ部の表面をマッサージし、容器側ノズル部４ａ及びカバー部側ノズル部４ｂは被マッサージ部の両面を同時にマッサージする。
【００３２】
移動機構４６は、容器４８とカバー部３とにそれぞれ設けられる。移動機構４６は、ノズル部４を部分用水圧マッサージ機１の縦方向（＝長手方向）に移動させる。容器４８に設けられた容器側移動機構３４は、容器４８の縦方向に架け渡される容器側ネジ軸１５ａと、容器側ネジ軸１５ａに螺着され該軸１５ａによって移動可能な容器側雌ネジ１６ａと、容器側ネジ軸１５ａを回動させる容器側駆動モータ１４ａとからなる。容器側雌ネジ１６ａの上部に容器側ノズル部４ａが載設される。
【００３３】
一方、カバー部３に設けられたカバー部側移動機構３６は、カバー部３の縦方向（＝長手方向）に架け渡されるカバー部側ネジ軸１５ｂと、カバー部側ネジ軸１５ｂに螺着され該軸１５ｂによって移動可能なカバー部側雌ネジ１６ｂと、カバー部側ネジ軸１５ｂを回動させるカバー部側駆動モータ１４ｂとからなる。カバー部側雌ネジ１６ｂの下部にカバー部側ノズル４ｂが設けられる。
移動機構４６には前記ノズル部４を回動自在に支持するノズル回動器５２が設けられる。ノズル部４は回動し円軌跡に動く。
尚、ノズル回動器５２は、容器４８内のノズル部４に設けることもできる。
【００３４】
循環ポンプ９の吐出口３２とノズル４の取水口３１とは容器側吐出ホース１３ａで繋がれる。循環ポンプ９は、貯水槽６内の水を吸入し圧縮し、ノズル４へ付与する。ノズル部４から加圧水が噴出する。
【００３５】
ノズル部４から噴出した水は、落差により台部側返送管２０ａ及びカバー部側返送管２０ｂを通って貯水槽６へ戻り、貯水槽６内の水は循環する。循環ポンプ９は、貯水槽６内の水を循環させている。
前記ノズル４から噴射された噴射水は、可撓性膜５を介して患者の被マッサージ部に当たり、被マッサージ部を押圧刺激し、水圧マッサージを施す。
【００３６】
図２に示す電気的構成及び配管系統を説明する。
電気的構成は、貯水槽６の水を加温する加温ヒータ８と、被マッサージ部を加温する温熱具３３と、前記循環ポンプ９と、貯水槽６の水をラジエター４４へ循環供給する温調ポンプ２６と、容器側吐出ホース１３ａの途中に設けられる容器側電磁弁１９ａと、カバー側吐出ホース１３ｂの途中に設けられるカバー側電磁弁１９ｂと、容器側駆動モータ１４ａと、カバー部側駆動モータ１４ｂと、上記各電気部品を操作する操作部４１とからなる。
【００３７】
操作部４１には、任意の位置にノズル部４を移動させるリモートコントローラー５０が可撓コード５３を介して接続される。
【００３８】
容器４８側の循環ライン３９は、貯水槽６と、吸入管１１と、循環ポンプ９と、容器側電磁弁１９ａと、容器側ノズル部４ａと、容器側返送管２０ａとからなる。
カバー部３側の循環ライン３９は、貯水槽６と、吸入管１１と、循環ポンプ９と、カバー部側電磁弁１９ｂと、カバー部側ノズル部４ｂと、カバー部側返送管２０ｂとからなる。
【００３９】
図１中、７は背凭れ、１７は踵受け、図２中、３８は温度センサ、４９は水位センサである。
【００４０】
実施例１を使用する際は、先ず、貯水槽６に水を満たす。次に、カバー部３をカバー軸４７を軸にして開ける。
患者は、椅子３５に腰掛け、座部５１の回動させながら下肢を台部２の中央へ移乗する。患者の被マッサージ部を、容器開口部１８に張設された可撓性膜５の上に乗せ、防止部材１０で定位置に保持する。
容器開口部１８に可撓性膜５の下に張設されている網４５で被マッサージ部を支持する。次に、カバー部３を閉める。
【００４１】
続いて、循環ポンプ９を駆動させると、該循環ポンプ９は吸入管１１から貯水槽６内の水を吸入し、吸入した水をノズル部４から噴射する。ノズル４へ供給する水の圧力は、循環ポンプ９の回転数に応じて増減する。可撓性膜５は、伸縮性を有しているので、被マッサージ部に当接して自在に変形し、被マッサージ部の外形状によく添うと共に、噴射水の圧力を受けて自在に圧力方向に凸状に変形する。
【００４２】
可撓性膜５に噴射水が衝突し該膜５は噴射水の噴射方向に瞬時突出変形し、可撓性膜５を介して被マッサージ部を押圧し、マッサージ刺激を与える。
【００４３】
マッサージ刺激の強さは、ノズル４の噴射水の噴射強さにより増減し、ノズル４へ供給する水の圧力により増減する。循環ポンプ９の回転数を一定にして、連続的に被マッサージ部にマッサージ刺激を施す。或いは、循環ポンプ９の回転数を増減制御し、治療に係る所定時間内にマッサージ刺激を繰り返し漸増漸減させる。
【００４４】
或いは、循環ポンプ９の回転数をランダム制御し、治療に係る所定時間内にマッサージ刺激をランダムに増減させる。或いは、循環ポンプ９を始動・停止させ、治療に係る所定時間内にマッサージ刺激を繰り返し断続させる。
可撓性膜５は、噴出水の衝撃に係るエネルギーの減衰を少なくして、当該エネルギーを被マッサージ部に伝導する。
【００４５】
容器４８内の容器側ノズル部４ａは、容器側雌ネジ１６ａの移動に伴って縦方向に移動し、患者に縦方向にマッサージを与える。カバー部３内のカバー部側ノズル部４ｂは、カバー部側雌ネジ１６ｂの移動に伴って縦方向に移動し、患者に縦方向にマッサージを与える。
ノズル回動器５２は、ノズル部４の噴射方向を適宜斜め方向とすることで、噴射の反動により回転方向への推進力が発生させるものであり、この推進力によりノズル部４は略水平面に回動し、円軌跡に動き、患者に円形状にマッサージを与える。
【００４６】
マッサージ態様例を示すと、操作部４１を操作して治療を開始するとノズル部４から水が噴射する。ノズル部４は、被マッサージ部に沿って縦方向直線移動及び円移動できる。操作者の任意な指示により、ノズル部４を任意な位置に停止して、水を噴出させることができ、又、操作者の任意な指示により、ノズル部４を所定の順路に移動させながら、水を噴出させることもできる。ノズル部４を縦方向直線移動と円移動に複合的に移動させることもできる。
又、ノズル部４を、移動に加えて循環ポンプ９の回転数を前述のように制御して、ノズル部４から出る水の噴射強さを強弱変化その他の変化させる。
【実施例２】
【００４７】
図３に示す実施例２は、実施例１に係る台部２を、昇降台部４２に代えたものであり、上肢用水圧マッサージ機２１である。
昇降台部４２は、脚部２２と、該脚部２２に立設され伸縮可能な支柱部２３と、支柱部２３に支持された載部３７と、カバー部３とからなり、前記昇降台部４２は昇降可能であり高さを調節できる。
【００４８】
載部３７は、支柱部２３の頂部に取付軸２４で軸支され、又、載部３７と支柱部２３上部とに伸縮具１２（＝具体例では電動アクチュエーター）が架け渡されており、伸縮具１２を伸展させると載部３７及びカバー部３は前傾する。
【００４９】
載部３７には、被マッサージ部を暖める温熱具３３（＝具体例では、電熱ヒータ）が設置される。
【００５０】
カバー部３の内壁の先部と内壁の基部とに凹形状レール２９がそれぞれ設けられる。対向して設けられた前記凹形状レール２９、２９は上方に突出する円弧状に曲げられて設けられる。
カバー部側ネジ軸１５ｂ及びカバー部側駆動モータ１４ｂは直線状に連結される。前記直線状連結物の両端が各凹形状レール２９に架け渡され移動自在に載置される。
紐２８が、円弧状に設けられた凹形状レール２９に沿って、複数の中継ローラー（図示省略）に掛け回されて、張設される。前記紐２８をネジ軸移動用モータ２７で一方向に引き回し又は他方向へ引き回す。
カバー部側ネジ軸１５ｂ及びカバー部側駆動モータ１４ｂでなる直線状連結物の両端が、紐２８に引っ張られて、上方に突出する円弧状の凹形状レール２９上を往復移動する。
【００５１】
カバー部側ネジ軸１５ｂ及びカバー部側駆動モータ１４ｂが凹形状レール２９に添って往復移動すると、カバー部側ネジ軸１５ｂに設けられるノズル部４は、カバー部側駆動モータ１４ｂの駆動による縦移動に加えて円弧状横移動しながら、被マッサージ部の左面から右面までにマッサージ刺激を付与する。
【００５２】
図３中、２５は挿入空間、５４は座部５１の高さを変更・固定する固定具である。
【産業上の利用可能性】
【００５３】
上肢又は下肢の被マッサージ部の両面を同時に又は片面を、水圧マッサージすることができ、又、楽な姿勢で四肢の水圧マッサージを施すことができる部分用水圧マッサージ機に適用できる。
【図面の簡単な説明】
【００５４】
【図１】本発明の実施例１の内部を透視した左側面図である。
【図２】本発明の実施例１の電気的構成及び配管系統を示す図である。
【図３】本発明の実施例２の内部を透視した左側面図である。
【符号の説明】
【００５５】
１  部分用水圧マッサージ機
２  台部
２ａ台部先部
３  カバー部
４  ノズル部
４ａ容器側ノズル部
４ｂカバー部側ノズル部
５  可撓性膜
６  貯水槽
９  循環ポンプ
１０  防止部材
２２  脚部
２３  支柱部
３３  温熱具
４２  昇降台部
４３  水温調節器
４６  移動機構
５０  リモートコントローラー
５１  座部
【図１】
2006204768.tif 000003
【図２】
2006204768.tif 000004
【図３】
2006204768.tif 000005